(57)【要約】【課題】モバイルＩＰ技術を適用したＩＰネットワークについて、非ＩＰネットワークを介した別の経路に切り替えることできる経路制御方法及びシステムを提供する。【解決手段】モバイルルータが、非ＩＰネットワークのネットワーク識別子が付加されたモバイルネットワークアドレスを含む登録要求を、非ＩＰネットワークを介してゲートウェイへ送信する。そして、ゲートウェイが、ネットワーク識別子と登録要求に含まれるモバイルネットワークアドレスとを対応付けて登録する。また、ゲートウェイが、モバイルネットワークアドレスを含む登録要求に、送信元アドレスをゲートウェイの気付けアドレスとしたＩＰヘッダを付加し、その登録要求のＩＰパケットをホームエージェントへ送信する。そして、ホームエージェントが、登録要求によって、ホームネットワークアドレスとゲートウェイの気付けアドレスとを対応付けて登録する。【選択図】図２
2010183129.tif 000002
【特許請求の範囲】
【請求項１】
ＩＰネットワークと非ＩＰネットワークとの間に接続されたゲートウェイと、ＩＰネットワークインタフェース及び非ＩＰネットワークインタフェースを有するモバイルルータと、該モバイルルータに接続された第１の端末と、前記ＩＰネットワークに接続された第２の端末と、前記ＩＰネットワークに接続されたホームエージェントとを有するシステムにおける、第１の端末と第２の端末との間の経路制御方法であって、
前記モバイルルータが、モバイルネットワークアドレスを含む登録要求を、送信元アドレスを前記非ＩＰネットワークのネットワーク識別子として、前記非ＩＰネットワークを介して前記ゲートウェイへ送信する第１のステップと、
前記ゲートウェイが、前記登録要求によって、前記ネットワーク識別子と前記モバイルネットワークアドレスとを対応付けて登録する第２のステップと、
前記ゲートウェイが、前記モバイルネットワークアドレスを含む登録要求を、送信元アドレスを当該ゲートウェイの気付けアドレスとして、前記ホームエージェントへ送信する第３のステップと、
前記ホームエージェントが、前記登録要求によって、前記モバイルネットワークアドレスと当該ゲートウェイの気付けアドレスとを対応付けて登録する第４のステップと
を有することを特徴とする経路制御方法。
【請求項２】
前記ゲートウェイが、
前記ホームエージェントから、ＩＰプリアンブルと、宛先アドレスを前記ゲートウェイの気付けアドレスとするカプセル化ヘッダと、宛先アドレスを第１の端末のホームアドレスとする原ヘッダとを含むＩＰパケットを受信し、
前記ＩＰパケットから、前記ＩＰプリアンブル及びカプセル化ヘッダを除去し、
原ヘッダのみを含むパケットを、宛先アドレスを第１の端末のネットワーク識別子として前記モバイルルータへ送信し、
前記モバイルルータが、
前記ゲートウェイから、原ヘッダのみを含むパケットを受信し、
原ヘッダのみを含むパケットに、ＩＰプリアンブルを付加し、
そのＩＰパケットを前記端末へ送信する
ことを特徴とする請求項１に記載の経路制御方法。
【請求項３】
前記モバイルルータが、
第１の端末から、ＩＰプリアンブルと、送信元アドレスを第１の端末のホームアドレスとする原ヘッダとを含むＩＰパケットを受信し、
前記ＩＰパケットから、前記ＩＰプリアンブルを除去し、
原ヘッダのみを含むパケットを、送信元アドレスを第１のネットワーク識別子として前記ゲートウェイへ送信し、
前記ゲートウェイが、
前記モバイルルータから、原ヘッダのみを含むパケットを受信し、
原ヘッダのみを含むパケットに、ＩＰプリアンブルと、送信元アドレスを前記ゲートウェイの気付けアドレスとするカプセル化ヘッダとを付加し、
そのＩＰパケットを前記ホームエージェントへ送信する
ことを特徴とする請求項１又は２に記載の経路制御方法。
【請求項４】
前記非ＩＰネットワークは、通信衛星を介したネットワークであることを特徴とする請求項１から３のいずれか１項に記載の経路制御方法。
【請求項５】
前記モバイルルータは、前記ＩＰネットワークインタフェースにおける障害を検出した際に、第１のステップを実行することを特徴とする請求項１から４のいずれか１項に記載の経路制御方法。
【請求項６】
ＩＰネットワークと非ＩＰネットワークとの間に接続されたゲートウェイと、ＩＰネットワークインタフェース及び非ＩＰネットワークインタフェースを有するモバイルルータと、該モバイルルータに接続された第１の端末と、前記ＩＰネットワークに接続された第２の端末と、前記ＩＰネットワークに接続されたホームエージェントとを有し、第１の端末と第２の端末との間で経路を制御するシステムであって、
前記モバイルルータは、
モバイルネットワークアドレスを含む登録要求を、送信元アドレスを前記非ＩＰネットワークのネットワーク識別子として、前記非ＩＰネットワークを介して前記ゲートウェイへ送信する登録要求送信手段を有し、
前記ゲートウェイは、
前記登録要求によって、前記ネットワーク識別子と前記モバイルネットワークアドレスとを対応付けて登録する登録処理手段と、
前記モバイルネットワークアドレスを含む登録要求を、送信元アドレスを当該ゲートウェイの気付けアドレスとして、前記ホームエージェントへ送信する登録要求送信手段と
を有することを特徴とするシステム。
【請求項７】
前記ゲートウェイは、
前記ホームエージェントから、ＩＰプリアンブルと、宛先アドレスを前記ゲートウェイの気付けアドレスとするカプセル化ヘッダと、宛先アドレスを第１の端末の前記ホームアドレスとする原ヘッダとを含むＩＰパケットを受信する下りＩＰパケット受信手段と、
前記ＩＰパケットから前記ＩＰプリアンブル及びカプセル化ヘッダを除去するヘッダ除去手段と、
原ヘッダのみを含むパケットを、宛先アドレスを第１の端末のネットワーク識別子として前記モバイルルータへ送信する下りパケット送信手段と
を有し、
前記モバイルルータは、
前記ゲートウェイから、原ヘッダのみを含むパケットを受信する下りパケット受信手段と、
原ヘッダのみを含むパケットに、ＩＰプリアンブルを付加するヘッダ付加手段と、
そのＩＰパケットを前記端末へ送信する下りＩＰパケット送信手段と
を有することを特徴とする請求項６に記載のシステム。
【請求項８】
前記モバイルルータは、
第１の端末から、ＩＰプリアンブルと、送信元アドレスを第１の端末のホームアドレスとする原ヘッダとを含むＩＰパケットを受信する上りＩＰパケット受信手段と、
前記ＩＰパケットから、前記ＩＰプリアンブルを除去するヘッダ除去手段と、
原ヘッダのみを含むパケットを、送信元アドレスを第１の端末のネットワーク識別子として前記ゲートウェイへ送信する上りパケット送信手段と
を有し、
前記ゲートウェイは、
前記モバイルルータから、原ヘッダのみを含むパケットを受信する上りパケット受信手段と、
原ヘッダのみを含むパケットに、ＩＰプリアンブルと、送信元アドレスを前記ゲートウェイの気付けアドレスとするカプセル化ヘッダとを付加するヘッダ付加手段と、
そのＩＰパケットを前記ホームエージェントへ送信する上りＩＰパケット送信手段と
を有することを特徴とする請求項６又は７に記載のシステム。
【請求項９】
前記非ＩＰネットワークは、通信衛星を介したネットワークであることを特徴とする請求項６から８のいずれか１項に記載のシステム。
【請求項１０】
前記モバイルルータは、前記ＩＰネットワークインタフェースにおける障害を検出した際に、前記登録要求送信手段が機能するべく指示するネットワーク切替手段を更に有することを特徴とする請求項６から９のいずれか１項に記載のシステム。
【発明の詳細な説明】
【技術分野】
【０００１】
本発明は、モバイルＩＰ(Internet Protocol)ネットワークにおける経路制御方法及びシステムに関する。
【背景技術】
【０００２】
図１は、従来技術におけるシステム構成図である。
【０００３】
図１のシステムによれば、端末３は、モバイルルータ１に接続し、ＩＰパケットによって通信する。モバイルルータ１は、アドレス空間であるモバイルネットワークアドレスを管理する。モバイルルータ１は、ＩＰネットワーク６を介して相手方端末５と通信する。
【０００４】
ＩＰネットワーク６は、例えばインターネット及びアクセスネットワークによって構成される。アクセスネットワークは、例えば携帯電話網や無線ＬＡＮである。モバイルＩＰネットワークの場合、モバイルルータ１は、ホームネットワークに接続されたホームエージェント４を介して、相手方端末５と通信する。
【０００５】
端末３は、受信装置を用いて、異なる経路として、非ＩＰネットワーク７を介して相手方端末５と通信することもできる。非ＩＰネットワーク７は、例えばイリジウムのような通信衛星ネットワークである。ＩＰネットワーク６と非ＩＰネットワーク７との間に、ゲートウェイ２が接続されており、端末３は、非ＩＰネットワーク７を介してゲートウェイ２と通信する。非ＩＰネットワーク７によれば、ＩＰヘッダが付加されたパケットを送受信することができないため、そのパケットにＩＰヘッダは付加されない。
【０００６】
従来、モバイルルータとホームエージェントとの間で、双方向トンネルを介してパケットを送受信する技術がある（例えば特許文献１参照）。この技術によれば、ＩＰｖ６におけるモバイルルータが、アドレスコンフィギュレーションに関連の気付けアドレスを取得し、その気付けアドレスを、ホームエージェントに登録する。
【０００７】
また、モバイルルータが、通信属性テーブルを利用して、モバイルＩＰを必要としないクライアント・サーバ型通信のパケットフローか、又は、モバイルＩＰを利用すべきピアツーピア（Ｐ２Ｐ）型通信のパケットフローかを識別し、そのパケットフローに応じて経路を制御する技術もある（例えば特許文献２参照）。この技術によれば、セッションの短いクライアント・サーバ型通信用の受信パケットについては、オーバヘッドのない直接経路でサーバに転送することができ、Ｐ２Ｐ型通信用の受信パケットについては、固有ＩＰアドレスを適用したモバイルＩＰによる通信サービスを提供できる。
【先行技術文献】
【特許文献】
【０００８】
【特許文献１】特表２００５−５１０１２２号公報
【特許文献２】特開２００６−０５００３５号公報
【発明の概要】
【発明が解決しようとする課題】
【０００９】
モバイルＩＰネットワークは、ＩＰネットワークを介して、モバイルルータの移動を可能とする技術である。従って、非ＩＰネットワークを介して、モバイルＩＰネットワークを実現することは想定されていない。しかしながら、ＩＰネットワークでリンク障害が発生した場合、端末が、非ＩＰネットワークへ経路を切り替えることによって通信を継続したいとする需要もある。この場合、通信する端末同士の間で、モバイルＩＰとは別のプロトコルを用いて、別の通信経路を確立する必要がある。即ち、通信する両端末は、２つの通信経路を認識する必要がある。
【００１０】
そこで、本発明は、端末が通信経路を認識することなく、モバイルＩＰが適用されたネットワークの中で、非ＩＰネットワークを介した別の経路に切り替えることできる経路制御方法及びシステムを提供することを目的とする。
【課題を解決するための手段】
【００１１】
本発明によれば、ＩＰネットワークと非ＩＰネットワークとの間に接続されたゲートウェイと、ＩＰネットワークインタフェース及び非ＩＰネットワークインタフェースを有するモバイルルータと、該モバイルルータに接続された第１の端末と、ＩＰネットワークに接続された第２の端末と、ＩＰネットワークに接続されたホームエージェントとを有するシステムにおける、第１の端末と第２の端末との間の経路制御方法であって、
モバイルルータが、モバイルネットワークアドレスを含む登録要求を、送信元アドレスを非ＩＰネットワークのネットワーク識別子として、非ＩＰネットワークを介してゲートウェイへ送信する第１のステップと、
ゲートウェイが、登録要求によって、ネットワーク識別子とモバイルネットワークアドレスとを対応付けて登録する第２のステップと、
ゲートウェイが、モバイルネットワークアドレスを含む登録要求を、送信元アドレスを当該ゲートウェイの気付けアドレスとして、ホームエージェントへ送信する第３のステップと、
ホームエージェントが、登録要求によって、モバイルネットワークアドレスと当該ゲートウェイの気付けアドレスとを対応付けて登録する第４のステップと
を有することを特徴とする。
【００１２】
本発明の経路制御方法における他の実施形態によれば、
ゲートウェイが、
ホームエージェントから、ＩＰプリアンブルと、宛先アドレスをゲートウェイの気付けアドレスとするカプセル化ヘッダと、宛先アドレスを第１の端末のホームアドレスとする原ヘッダとを含むＩＰパケットを受信し、
ＩＰパケットから、ＩＰプリアンブル及びカプセル化ヘッダを除去し、
原ヘッダのみを含むパケットを、宛先アドレスを第１の端末のネットワーク識別子としてモバイルルータへ送信し、
モバイルルータが、
ゲートウェイから、原ヘッダのみを含むパケットを受信し、
原ヘッダのみを含むパケットに、ＩＰプリアンブルを付加し、
そのＩＰパケットを端末へ送信することも好ましい。
【００１３】
本発明の経路制御方法における他の実施形態によれば、
モバイルルータが、
第１の端末から、ＩＰプリアンブルと、送信元アドレスを第１の端末のホームアドレスとする原ヘッダとを含むＩＰパケットを受信し、
ＩＰパケットから、ＩＰプリアンブルを除去し、
原ヘッダのみを含むパケットを、送信元アドレスを第１のネットワーク識別子としてゲートウェイへ送信し、
ゲートウェイが、
モバイルルータから、原ヘッダのみを含むパケットを受信し、
原ヘッダのみを含むパケットに、ＩＰプリアンブルと、送信元アドレスをゲートウェイの気付けアドレスとするカプセル化ヘッダとを付加し、
そのＩＰパケットをホームエージェントへ送信することも好ましい。
【００１４】
本発明の経路制御方法における他の実施形態によれば、非ＩＰネットワークは、通信衛星を介したネットワークであることも好ましい。
【００１５】
本発明の経路制御方法における他の実施形態によれば、モバイルルータは、ＩＰネットワークインタフェースにおける障害を検出した際に、第１のステップを実行することも好ましい。
【００１６】
本発明によれば、ＩＰネットワークと非ＩＰネットワークとの間に接続されたゲートウェイと、ＩＰネットワークインタフェース及び非ＩＰネットワークインタフェースを有するモバイルルータと、該モバイルルータに接続された第１の端末と、ＩＰネットワークに接続された第２の端末と、ＩＰネットワークに接続されたホームエージェントとを有し、第１の端末と第２の端末との間で経路を制御するシステムであって、
モバイルルータは、
モバイルネットワークアドレスを含む登録要求を、送信元アドレスを非ＩＰネットワークのネットワーク識別子として、非ＩＰネットワークを介してゲートウェイへ送信する登録要求送信手段を有し、
ゲートウェイは、
登録要求によって、ネットワーク識別子とモバイルネットワークアドレスとを対応付けて登録する登録処理手段と、
モバイルネットワークアドレスを含む登録要求を、送信元アドレスを当該ゲートウェイの気付けアドレスとして、ホームエージェントへ送信する登録要求送信手段と
を有することを特徴とする。
【００１７】
本発明のシステムにおける他の実施形態によれば、
ゲートウェイは、
ホームエージェントから、ＩＰプリアンブルと、宛先アドレスをゲートウェイの気付けアドレスとするカプセル化ヘッダと、宛先アドレスを第１の端末のホームアドレスとする原ヘッダとを含むＩＰパケットを受信する下りＩＰパケット受信手段と、
ＩＰパケットからＩＰプリアンブル及びカプセル化ヘッダを除去するヘッダ除去手段と、
原ヘッダのみを含むパケットを、宛先アドレスを第１の端末のネットワーク識別子としてモバイルルータへ送信する下りパケット送信手段と
を有し、
モバイルルータは、
ゲートウェイから、原ヘッダのみを含むパケットを受信する下りパケット受信手段と、
原ヘッダのみを含むパケットに、ＩＰプリアンブルを付加するヘッダ付加手段と、
そのＩＰパケットを端末へ送信する下りＩＰパケット送信手段と
を有することも好ましい。
【００１８】
本発明のシステムにおける他の実施形態によれば、
モバイルルータは、
第１の端末から、ＩＰプリアンブルと、送信元アドレスを第１の端末のホームアドレスとする原ヘッダとを含むＩＰパケットを受信する上りＩＰパケット受信手段と、
ＩＰパケットから、ＩＰプリアンブルを除去するヘッダ除去手段と、
原ヘッダのみを含むパケットを、送信元アドレスを第１の端末のネットワーク識別子としてゲートウェイへ送信する上りパケット送信手段と
を有し、
ゲートウェイは、
モバイルルータから、原ヘッダのみを含むパケットを受信する上りパケット受信手段と、
原ヘッダのみを含むパケットに、ＩＰプリアンブルと、送信元アドレスをゲートウェイの気付けアドレスとするカプセル化ヘッダとを付加するヘッダ付加手段と、
そのＩＰパケットをホームエージェントへ送信する上りＩＰパケット送信手段と
を有することも好ましい。
【００１９】
本発明のシステムにおける他の実施形態によれば、非ＩＰネットワークは、通信衛星を介したネットワークであるも好ましい。
【００２０】
本発明のシステムにおける他の実施形態によれば、モバイルルータは、ＩＰネットワークインタフェースにおける障害を検出した際に、登録要求送信手段が機能するべく指示するネットワーク切替手段を更に有することも好ましい。
【発明の効果】
【００２１】
本発明の経路制御方法及びシステムによれば、モバイルルータとゲートウェイとが、非ＩＰネットワークに対応してパケットヘッダを変換することによって、端末が通信経路を認識することなく、モバイルＩＰが適用されたネットワークの中で、非ＩＰネットワークを介した別の経路に切り替えることできる。通信している両端末は、ＩＰネットワークか非ＩＰネットワークかを全く認識することなく、通信を継続させることができる。
【図面の簡単な説明】
【００２２】
【図１】従来技術におけるシステム構成図である。
【図２】本発明におけるシステム構成図である。
【図３】本発明における第１のシーケンス図である。
【図４】本発明における第２のシーケンス図である。
【図５】本発明におけるモバイルルータ及びゲートウェイの機能構成図である。
【発明を実施するための形態】
【００２３】
以下、本発明の実施の形態について、図面を用いて詳細に説明する。
【００２４】
図２は、本発明におけるシステム構成図である。
【００２５】
図２のシステムによれば、図１のシステムと比較して、モバイルルータ１は、ＩＰネットワーク及び非ＩＰネットワークの両方で通信するために、ＩＰネットワークインタフェースと非ＩＰネットワークインタフェースとを有する。モバイルルータ１は、非ＩＰネットワーク７を介してゲートウェイ２と通信すると共に、ゲートウェイ２は、ホームエージェント４と直接的に通信する。本発明によれば、モバイルルータ１が、モバイルＩＰにおける登録要求を、ゲートウェイ２を介してホームエージェント４へ送信する。これによって、ホームエージェント４は、相手方端末５から受信したＩＰパケットを、ゲートウェイ２へ転送することができる。
【００２６】
本発明によれば、ゲートウェイ２は、ホームエージェント４との間でＩＰネットワーク６を介して送受信可能なＩＰパケットと、モバイルルータ１との間で非ＩＰネットワーク７を介して送受信可能なパケットとについて、相互にパケットヘッダを変換する必要がある。また、モバイルルータ１も、端末３との間で送受信可能なＩＰパケットと、ゲートウェイ２との間で非ＩＰネットワーク７を介して送受信可能なパケットとについて、相互にパケットヘッダを変換する必要がある。
【００２７】
図３は、本発明における第１のシーケンス図である。
【００２８】
（Ｓ３０１）相手方端末５が、端末３へ、ＩＰパケットを送信する。ＩＰパケットは、原ヘッダとして、ＩＰプリアンブル(IPv4の場合は96bit)と、送信元アドレス(32bit)と、宛先アドレス(32bit)とを含む。送信元アドレスは、相手方端末５のアドレスｃｎであり、宛先アドレスは、端末３のホームアドレスｍｎである。モバイルＩＰネットワークによれば、このＩＰパケットは、ホームエージェント４によって受信される。
【００２９】
（Ｓ３０２）ホームエージェント４は、相手方端末５から受信したこのＩＰパケットに対して、更にＩＰカプセル化を実行する。即ち、このＩＰパケットの原ヘッダに加えて、更にカプセル化ヘッダが付加される。カプセル化ヘッダによれば、送信元アドレスは、ホームエージェント４のアドレスであり、宛先アドレスは、端末３に対する気付けアドレスである。このＩＰパケットは、ＩＰネットワークへ送信され、モバイルルータ１によって受信される。
【００３０】
（Ｓ３０３）モバイルルータ１は、ホームエージェント４から受信したＩＰパケットから、カプセル化ヘッダを除去する。即ち、原ヘッダのみが付加されたＩＰパケットへ戻す。このＩＰパケットは、端末３へ送信される。これによって、端末３は、相手方端末５から送信されたＩＰパケットを受信する。
【００３１】
（Ｓ３０４）次に、端末３が、相手方端末５へ、ＩＰパケットを送信する。ＩＰパケットは、原ヘッダとして、ＩＰプリアンブルと、送信元アドレスと、宛先アドレスとを含む。送信元アドレスは、端末３のホームアドレスｍｎであり、宛先アドレスは、相手方端末５のアドレスｃｎである。このＩＰパケットは、モバイルルータ１によって受信される。
【００３２】
（Ｓ３０５）モバイルルータ１は、端末３から受信したＩＰパケットに対して、更にＩＰカプセル化を実行する。即ち、このＩＰパケットの原ヘッダに加えて、更にカプセル化ヘッダを付加する。カプセル化ヘッダによれば、送信元アドレスは、端末３に対する気付けアドレスであり、宛先アドレスは、ホームエージェント４のアドレスｈａである。このＩＰパケットは、ＩＰネットワークへ送信され、ホームエージェント４によって受信される。
【００３３】
（Ｓ３０６）ホームエージェント４は、モバイルルータ１から受信したＩＰパケットから、カプセル化ヘッダを除去する。即ち、原ヘッダのみが付加されたＩＰパケットへ戻す。このＩＰパケットは、相手方端末５へ送信される。これによって、相手方端末５は、端末３から送信されたＩＰパケットを受信する。
【００３４】
（Ｓ３１１）Ｓ３０１〜Ｓ３０６のように、ＩＰネットワークを介して端末間で通信されている際に、ＩＰネットワークにリンク障害が発生したとする。例えば、モバイルルータ１とアクセスポイントとの間の無線リンクに障害が発生したとする。このような場合、モバイルルータ１は、非ＩＰネットワークへ、経路を変更するべく制御する。
【００３５】
（Ｓ３１２）モバイルルータ１は、登録要求（バインディング）を、非ＩＰネットワークを介してゲートウェイ２へ送信する。登録要求は、モバイルネットワークアドレスＨｏＡ（例えば192.168.0.0/24のようなネットワークアドレス）を含み、非ＩＰネットワークのネットワーク識別子Ｉｄのインタフェースから送信される。ネットワーク識別子は、ネットワークインタフェースのメディア識別子（例えばシリアル番号）であってもよい。
【００３６】
尚、モバイルルータ１と同様に、ゲートウェイ４も、ＤＨＣＰ(Dynamic Host Configuration Protocol)やRouter Solicitation/Router Advertisementなどのプロトコルを用いて、ＩＰネットワークからＩＰアドレスを取得することができる。
【００３７】
（Ｓ３１３）ゲートウェイ２は、登録要求に含まれるモバイルネットワークアドレスＨｏＡとネットワーク識別子Ｉｄとを対応付けて登録する。
【００３８】
（Ｓ３１４）ゲートウェイ２は、モバイルネットワークアドレスＨｏＡを含む登録要求を生成する。そして、その登録要求に、送信元アドレスを当該ゲートウェイの気付けアドレスｇｗＣｏＡとしたＩＰヘッダを付加する。そして、この登録要求のＩＰパケットは、ホームエージェント４へ送信される。
【００３９】
（Ｓ３１５）ホームエージェントは、登録要求に含まれるモバイルネットワークアドレスＨｏＡと、送信元アドレスであるゲートウェイの気付けアドレスｇｗＣｏＡとを対応付けて登録する。
【００４０】
図４は、本発明における第２のシーケンス図である。
【００４１】
（Ｓ４０１）相手方端末５が、端末３へ、ＩＰパケットを送信する。ＩＰパケットについて、送信元アドレスは、相手方端末５のアドレスｃｎであり、宛先アドレスは、端末３のアドレスｍｎである。モバイルＩＰネットワークによれば、このＩＰパケットは、ホームエージェント４によって受信される。
【００４２】
（Ｓ４０２）ホームエージェント４は、相手方端末５から受信したＩＰパケットに対して、更にＩＰカプセル化を実行する。即ち、このＩＰパケットに対して、原ヘッダに加えて、更にカプセル化ヘッダを付加する。カプセル化ヘッダによれば、送信元アドレスは、ホームエージェント４のアドレスであり、宛先アドレスは、ゲートウェイの気付けアドレスである。このデータパケットは、ＩＰネットワークへ送信され、位置登録に応じてゲートウェイ２によって受信される。
【００４３】
（Ｓ４０３）ゲートウェイ２は、ホームエージェント４から、ＩＰプリアンブルと、宛先アドレスを気付けアドレスとするカプセル化ヘッダと、宛先アドレスを第１の端末のホームアドレスとする原ヘッダとを含むＩＰパケットを受信する。そして、ゲートウェイ２は、このＩＰパケットからカプセル化ヘッダを除去する。即ち、原ヘッダのみが付加されたＩＰパケットへ戻す。
【００４４】
ここで、原ヘッダの宛先アドレスには、端末３のホームアドレスｍｎが含まれている。ゲートウェイ２は、図３のＳ３１３によって登録されたテーブルを用いて、ホームアドレスｍｎが含まれるモバイルネットワークアドレスＨｏＡを検索する。検索されたそのモバイルネットワークアドレスＨｏＡに対応するネットワーク識別子Ｉｄが取得される。そして、パケットには、宛先アドレスとして、ネットワーク識別子Ｉｄが付加される。このパケットは、非ＩＰネットワークを介して、モバイルルータ１へ送信される。
【００４５】
（Ｓ４０４）モバイルルータ１は、ゲートウェイ２から非ＩＰネットワークを介して受信したパケットから、ネットワーク識別子を除去し、ＩＰプリアンブルを付加する。即ち、原ヘッダのみが付加されたＩＰパケットへ戻す。このＩＰパケットは、端末３へ送信される。これによって、端末３は、相手方端末５から送信されたＩＰパケットを受信する。
【００４６】
（Ｓ４１１）次に、端末３が、相手方端末５へ、ＩＰパケットを送信する。ＩＰパケットについて、送信元アドレスは、端末３のアドレスｍｎであり、宛先アドレスは、相手方端末５のアドレスｃｎである。このＩＰパケットは、モバイルルータ１によって受信される。
【００４７】
（Ｓ４１２）モバイルルータ１は、端末３から、ＩＰプリアンブルと、送信元アドレスを端末３のホームアドレスとする原ヘッダとを含むＩＰパケットを受信する。そして、モバイルルータ１は、このＩＰパケットからＩＰプリアンブルを除去する。次に、取り出された原ヘッダを含むパケットに、宛先アドレスとしてネットワーク識別子が付加される。そして、このパケットは、非ＩＰネットワークを介してゲートウェイ２へ送信される。
【００４８】
（Ｓ４１３）ゲートウェイ２は、モバイルルータ１から、原ヘッダを含むパケットを受信する。ゲートウェイ２は、原ヘッダを含むパケットに、ＩＰプリアンブルと、送信元アドレスをゲートウェイの気付けアドレスｇｗＣｏＡとするカプセル化ヘッダとを付加する。そして、そのＩＰパケットは、ホームエージェント４へ送信される。
【００４９】
（Ｓ４１４）ホームエージェント４は、ゲートウェイ２から受信したＩＰパケットから、カプセル化ヘッダを除去する。即ち、原ヘッダのみが付加されたＩＰパケットへ戻す。このＩＰパケットは、相手方端末５へ送信される。これによって、相手方端末５は、端末３から送信されたＩＰパケットを受信する。
【００５０】
図５は、本発明におけるモバイルルータ及びゲートウェイの機能構成図である。
【００５１】
図５によれば、モバイルルータ１は、インタフェース切替部１００と、登録要求送信部１０１と、下りパケット受信部１１１と、ヘッダ付加部１１２と、下りＩＰパケット送信部１１３と、上りＩＰパケット受信部１２１と、ヘッダ除去部１２２と、上りパケット送信部１２３とを有する。
【００５２】
インタフェース切替部１００は、使用するべきネットワークインタフェース（ＩＰネットワークインタフェース又は非ＩＰネットワークインタフェース）を切り替える。インタフェース切替部１００は、各インタフェースの電波強度によって切り替えるものであってもよい。例えば、通常、ＩＰネットワークインタフェースを使用し、そのリンクの障害を検出した際に、非ＩＰネットワークインタフェースを使用するように切り替えることができる。その他、予め設定された優先順位（例えば通信速度、カバーエリア、通信コスト等）に応じて、ネットワークインタフェースを切り替えるものであってもよい。本発明によれば、インタフェース切替部１００は、非ＩＰネットワークインタフェースを利用する場合、その旨を、登録要求送信部１０１へ通知する。
【００５３】
登録要求送信部１０１は、非ＩＰネットワークインタフェースを利用する際に、モバイルネットワークアドレスＨｏＡと、非ＩＰネットワークのネットワーク識別子とを対応付けた登録要求を、非ＩＰネットワークを介してゲートウェイ２へ送信する。
【００５４】
下りパケット受信部１１１は、原ヘッダを含むパケットを、ゲートウェイ２から受信する。受信したパケットは、ヘッダ付加部１１２へ出力される。
【００５５】
ヘッダ付加部１１２は、原ヘッダを含むパケットに、ＩＰプリアンブルを付加する。このＩＰパケットは、下りＩＰパケット送信部１１３へ出力される。
【００５６】
下りＩＰパケット送信部１１３は、そのＩＰパケットを端末へ送信する。
【００５７】
上りＩＰパケット受信部１２１は、端末３から、ＩＰプリアンブルと、送信元アドレスを端末３のホームアドレスとする原ヘッダとを含むＩＰパケットを受信する。受信したＩＰパケットは、ヘッダ除去部１２２へ出力される。
【００５８】
ヘッダ除去部１２２は、ＩＰパケットからＩＰプリアンブルを除去する。このパケットは、上りパケット送信部１２３へ出力される。
【００５９】
上りパケット送信部１２３は、原ヘッダを含むパケットを、宛先アドレスをネットワーク識別子としてゲートウェイ２へ送信する。
【００６０】
また、図５によれば、ゲートウェイ２は、登録処理部２０１と、登録要求送信部２０２と、下りＩＰパケット受信部２１１と、ヘッダ除去部２１２と、下りパケット送信部２１３と、上りパケット受信部２２１と、ヘッダ付加部２２２と、上りＩＰパケット送信部２２３とを有する。
【００６１】
登録処理部２０１は、モバイルルータ１から、ネットワーク識別子が付加されたホームネットワークアドレスＨｏＡを含む登録要求を受信する。登録処理部２０１は、この登録要求に含まれるホームネットワークアドレスＨｏＡとネットワーク識別子とを対応付けて登録する。そして、登録処理部２０１は、登録要求を受信した旨を、登録要求送信部２０２へ通知する。
【００６２】
登録要求送信部２０２は、ホームネットワークアドレスＨｏＡを含む登録要求に、送信元アドレスをゲートウェイアドレスの気付けアドレスｇｗＣｏＡとしたＩＰヘッダを付加し、その登録要求のＩＰパケットをホームエージェントへ送信する。
【００６３】
下りＩＰパケット受信部２１１は、ＩＰプリアンブルと、宛先アドレスを気付けアドレスとするカプセル化ヘッダと、宛先アドレスを端末３のホームアドレスとする原ヘッダとを含むＩＰパケットを受信する。受信したＩＰパケットは、ヘッダ除去部２１２へ出力される。
【００６４】
ヘッダ除去部２１２は、ＩＰパケットからＩＰプリアンブル及びカプセル化ヘッダを除去する。除去されたパケットは、下りパケット送信部２１３へ出力される。
【００６５】
下りパケット送信部２１３は、原ヘッダを含むパケットを、宛先アドレスをネットワーク識別子としてモバイルルータ１へ送信する。
【００６６】
上りパケット受信部２２１は、モバイルルータ１から、原ヘッダを含むパケットを受信する。受信されたパケットは、ヘッダ付加部２２２へ出力される。
【００６７】
ヘッダ付加部２２２は、受信された原ヘッダを含むパケットに、ＩＰプリアンブルと、送信元アドレスを気付けアドレスとするカプセル化ヘッダとを付加する。このＩＰパケットは、上りＩＰパケット送信部２２３へ出力される。
【００６８】
上りＩＰパケット送信部２２３は、このＩＰパケットをホームエージェント４へ送信する。
【００６９】
前述した実施形態によれば、ゲートウェイ２とホームエージェント４とは、ＩＰネットワークに別々に備えられているが、これらが一体的な装置として備えられてもよい。
【００７０】
以上、詳細に説明したように、本発明の経路制御方法及びシステムによれば、モバイルルータとゲートウェイとが、非ＩＰネットワークに対応してパケットヘッダを変換することによって、端末が通信経路を認識することなく、モバイルＩＰが適用されたネットワークの中で、非ＩＰネットワークを介した別の経路に切り替えることできる。通信している両端末は、ＩＰネットワークか非ＩＰネットワークかを全く認識することなく、通信を継続させることができる。
【００７１】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００７２】
１  モバイルルータ
１００  インタフェース切替部
１０１  登録要求送信部
１１１  下りパケット受信部
１１２  ヘッダ付加部
１１３  下りＩＰパケット送信部
１２１  上りＩＰパケット受信部
１２２  ヘッダ除去部
１２３  上りパケット送信部
２  ゲートウェイ
２０１  登録処理部
２０２  登録要求送信部
２１１  下りＩＰパケット受信部
２１２  ヘッダ除去部
２１３  下りパケット送信部
２２１  上りパケット受信部
２２２  ヘッダ付加部
２２３  上りＩＰパケット送信部
３  端末
４  ホームエージェント
５  相手方端末
６  ＩＰネットワーク
７  非ＩＰネットワーク
【図１】
2010183129.tif 000003
【図２】
2010183129.tif 000004
【図３】
2010183129.tif 000005
【図４】
2010183129.tif 000006
【図５】
2010183129.tif 000007